(57)【要約】【課題】外出時や就寝前等において、利用者が自らの手で点検確認済の確認操作を行うことによって、点検確認したことの記憶を明確にして利用者に点検済の確証を与えることができるとともに、外出先での携帯電話等の携行物の置き忘れや紛失を防止できる、携帯可能な点検確認装置を提供すること。【解決手段】本考案の携帯型点検確認装置は、携帯可能な装置本体の表面にそれぞれ配された点検項目表示部、点検箇所表示部、確認表示部、及び操作部と、装置本体とは別体をなす発信部と、装置本体に内蔵された距離認識センサを有する受信部及び警告部と、を少なくとも備え、利用者は、確認表示部の表示状態を変化させることで点検確認を行い、距離認識センサは、所定の携行物に取り付けられた発信部との距離を認識し、所定距離以上離れた場合に、警告部は利用者に対して警告を行うことを特徴とする。【選択図】図１
0003147595.tif 000002
【実用新案登録請求の範囲】
【請求項１】
点検項目を点検して確認する携帯型点検確認装置であって、
携帯可能な装置本体の表面にそれぞれ配された、
上記点検項目を表示する点検項目表示部、
上記点検項目に対応する点検箇所を表示する点検箇所表示部、
上記点検箇所表示部に対応して配された確認表示部、及び
上記確認表示部の表示状態を変化させる操作部と、
上記装置本体とは別体をなし、電波を発信する発信部と、
上記装置本体に内蔵された、距離認識センサを有する受信部及び警告部と、を少なくとも備え、
利用者は、上記操作部を操作して上記確認表示部の表示状態を変化させることで、点検確認を行い、
上記発信部は、所定の携行物に取り付けられるとともに、上記距離認識センサは、上記発信部との距離を認識し、
上記距離認識センサと上記発信部とが所定距離以上離れた場合に、上記警告部は利用者に対して警告を行うことを特徴とする携帯型点検確認装置。
【請求項２】
装置本体の表面に配された液晶ディスプレイを備え、
上記点検箇所表示部及び上記確認表示部は、上記液晶ディスプレイ内にあることを特徴とする請求項１に記載の携帯型点検確認装置。
【請求項３】
上記点検箇所表示部と上記操作部とは、上記操作本体の表面において一体的に配されていることを特徴とする請求項１に記載の携帯型点検確認装置。
【請求項４】
上記携行物は、携帯電話端末であることを特徴とする請求項１に記載の携帯型点検確認装置。
【請求項５】
上記警告部は、警告音を鳴らすことにより利用者に対して警告することを特徴とする請求項１に記載の携帯型点検確認装置。
【考案の詳細な説明】
【技術分野】
【０００１】
本考案は、外出時や就寝前等において、電気、ガス、水道、戸締り等の安全点検内容を確認するとともに、携帯電話端末等の紛失を防止する携帯型点検確認装置に関する。
【背景技術】
【０００２】
外出直前や就寝前に、日常習慣的に電気、ガス、水道、戸締り等の安全点検を目で見、耳で聞き、鼻で嗅いで行う。そして玄関扉の施錠前又は施錠後に、安全点検した状況を頭で確認し、脳裏に記憶する。このような人間の五感を働かせた安全点検は、一般家庭における最も確実な安全点検方法である。
【０００３】
しかしながら、人間の五感を働かせて日常習慣的に行う安全点検は、殆ど無意識の行為である。従って、安全点検を行って外出した直後であっても、これを思い出すことは困難なことは当然である。日常習慣的に行った殆ど無意識の行為は脳裏に殆ど記憶されていないからである。このため、実際に安全点検をしたにもかかわらず、不安になって家に戻り、再び確認作業を行うことは、大多数の人が経験していることである。
【０００４】
また、携帯電話には置き忘れや紛失が多い。外出先で携帯電話を置き忘れたり紛失したりすると、最近の携帯電話には通信機能だけでなく様々な機能、特にキャッシュカード、クレジットカードの機能等を備えており財布に等しいものがある。また、メモリに記憶された電話帳機能は個人情報（例えば個人名や電話番号等）が漏れて悪用される危険性もある。
【考案の開示】
【考案が解決しようとする課題】
【０００５】
本考案はこのような従来の実情に鑑みてなされたものであり、外出時や就寝前等において、利用者が自らの手で点検確認済の確認操作を行うことによって、点検確認したことの記憶を明確にして利用者に点検済の確証を与えることができるとともに、外出先での携帯電話等の携行物の置き忘れや紛失を防止できる、携帯可能な点検確認装置を提供することを目的とする。
【課題を解決するための手段】
【０００６】
本考案の請求項１に記載の携帯型点検確認装置は、点検項目を点検して確認する携帯型点検確認装置であって、携帯可能な装置本体の表面にそれぞれ配された、上記点検項目を表示する点検項目表示部、上記点検項目に対応する点検箇所を表示する点検箇所表示部、上記点検箇所表示部に対応して配された確認表示部、及び上記確認表示部の表示状態を変化させる操作部と、上記装置本体とは別体をなし、電波を発信する発信部と、上記装置本体に内蔵された、距離認識センサを有する受信部及び警告部と、を少なくとも備え、利用者は、上記操作部を操作して上記確認表示部の表示状態を変化させることで、点検確認を行い、上記発信部は、所定の携行物に取り付けられるとともに、上記距離認識センサは、上記発信部との距離を認識し、上記距離認識センサと上記発信部とが所定距離以上離れた場合に、上記警告部は利用者に対して警告を行うことを特徴とする。
また、本考案の請求項２に記載の携帯型点検確認装置は、請求項１において、装置本体の表面に配された液晶ディスプレイを備え、上記点検箇所表示部及び上記確認表示部は、上記液晶ディスプレイ内にあることを特徴とする。
また、本考案の請求項３に記載の携帯型点検確認装置は、請求項１において、上記点検箇所表示部と上記操作部とは、上記操作本体の表面において一体的に配されていることを特徴とする。
また、本考案の請求項４に記載の携帯型点検確認装置は、請求項１において、上記携行物は、携帯電話端末であることを特徴とする。
本考案の請求項５に記載の携帯型点検確認装置は、請求項１において、上記警告部は、警告音を鳴らすことにより利用者に対して警告することを特徴とする。
【考案の効果】
【０００７】
本考案では、外出時や就寝前等において、利用者が自らの手で点検確認済の確認操作を行うことによって、点検確認したことの記憶を明確にして利用者に点検済の確証を与えることができる。また、本考案の点検確認装置は携帯可能であるので、外出時に携帯して、後で点検したかどうか不安になった場合でも家に戻ることなく確実に確認できる。また、本考案の点検確認装置では、携帯電話等の携行物に取り付けた発信部との距離を距離認識センサにて監視し、携行物が所定距離以上離れたことを警告することで、外出先での携行物の置き忘れや紛失を防止することができる。
【考案を実施するための最良の形態】
【０００８】
以下、本考案に係る点検確認装置の一実施形態を図面に基づいて説明する。
図１及び図２は、本考案の携帯型点検確認装置の一例を示す図である。
この点検確認装置１は、点検項目を点検して確認する携帯型の点検確認装置であり、携帯可能な装置本体２と、上記装置本体２の表面にそれぞれ配された、上記点検項目を表示する点検項目表示部３、上記点検項目に対応する点検箇所を表示する点検箇所表示部４、上記点検箇所表示部４に対応して配された確認表示部５、及び、上記確認表示部５の表示状態を変化させる操作部と、を備える。
【０００９】
そして、この点検確認装置１は、利用者が上記操作部を操作して上記確認表示部５の表示状態を変化させることで、点検確認を行うことを特徴とする。
上記の課題を解決するために、本考案は、装置本体２の表面に、各点検項目に対応する点検箇所表示部４、及び点検箇所表示部４に対応した点検確認表示部５を設けて、各項目の点検箇所表示部４の文字上をそれぞれ押して、点検確認表示部５に点検済のチェック表示をする構成を採用したものである。
これにより、外出時や就寝前等において、利用者が自らの手で点検確認済の確認操作を行うことによって、点検確認したことの記憶を明確にして利用者に点検済の確証を与えることができる。また、本考案の点検確認装置１は携帯可能であるので、外出時に携帯して、後で点検したかどうか不安になった場合でも、家に戻る必要がなく容易かつ確実に確認できる。
【００１０】
さらに、図２に示すように、この点検確認装置１は、上記装置本体２とは別体をなし、電波を発信する発信部２０と、上記装置本体２に内蔵された、距離認識センサを有する受信部２１及び警告部２２と、を備える。なお、図１及び図２においては、受信部２１及び警告部２２が装置本体２に内蔵されていることをわかりやすく説明するものであり、内蔵されている場所までを限定して示すものではない。
そして、上記発信部２０は、携帯電話端末３０等の携行物に取り付けられるとともに、上記距離認識センサは、上記発信部２０との距離を認識し、上記距離認識センサ（受信部２１）と上記発信部２０とが所定距離以上離れた場合に、上記警告部２２は利用者に対して警告を行うことを特徴とする。これにより、外出先での携行物の置き忘れや紛失を未然に防止することができる。
【００１１】
装置本体２は、例えばＡＢＳ樹脂等からなる。
装置本体２の大きさとしては、特に限定されるものではないが、例えば外出時に衣類のポケットに入れる等して携帯可能な大きさであることが好ましく、具体的には、例えば縦：５４ｍｍ×横：８４ｍｍ×厚み：３ｍｍ程度である。また、その重量は１０ｇ程度である。これは、一般的なカード類の大きさと同程度であり、これにより点検確認装置１を容易に携帯することができる。
装置本体２の内部には、図示しない電池、電子回路、後述する位置情報認識センサを有する受信部２１及び警告部２２等が内蔵されている。
【００１２】
装置本体２の表面には、点検項目表示部３、点検箇所表示部４、確認表示部５の他、電源ボタン７（ＯＮ／ＯＦＦボタン）、完了ボタン８、解除ボタン９、緑色のパイロットランプ６が設けられている。
装置本体２の表面にはバックライト付き液晶ディスプレイ１０が配されており、点検箇所表示部４、確認表示部５はこの液晶ディスプレイ１０内において表示されている。
バックライトは、電源ボタン７を長押ししＯＮにすると点灯する。これにより暗い場所においても確認作業をスムーズに行うことができる。また。電源ＯＮの間、パイロットランプ６も該バックライトにより緑色に表示される。
また、装置本体２の表面にはＬＥＤライト１１が備えられており、ＬＥＤライト１１は、電源ボタン７を長押ししＯＮにすると点灯する。これにより暗い場所においても鍵穴等の確認作業をスムーズに行うことができる。このＬＥＤライトはミニ懐中電灯としても使うことができる。
【００１３】
点検項目表示部３には、点検を要する点検項目が表示され、点検箇所表示部４には、上記点検項目に対応する点検箇所が表示されている。また、確認表示部５は上記点検箇所表示部４に対応して配され、ここに確認済みのチェック表示がされる。
点検項目表示部３において、図１に示す例では、上記点検項目の一例として５種類の点検項目（戸締り、鍵、火の元、携帯品、携帯電話）の場合を挙げているが、これに限定されるものではなく、必要に応じて点検項目を適宜変更することができる。また、その数も限定されるものではなく、必要に応じて適宜変更することができる。
【００１４】
また、点検箇所表示部４において、図１に示す例では、「戸締り」に対応する点検箇所として、ここでは一例として風呂場、勝手、窓の３箇所を挙げているが、これに限定されるものではなく、必要に応じて確認箇所を適宜変更することができる。また、その数も限定されるものではなく、必要に応じて適宜変更することができる。
同様に、「鍵」「火の元」「携帯品」「携帯電話」に対応する点検箇所としても、図１に示される例に限定されるものではなく、必要に応じて点検箇所を適宜変更することができる。また、その数も限定されるものではなく、必要に応じて適宜変更することができる。
【００１５】
次に、このような点検確認装置１を用いた、点検確認作業について説明する。
まず、電源ボタン７を押すとスイッチが入り、点検確認装置として機能する（ＯＮ）。さらに長押しした場合、液晶ディスプレイ１０のバックライト、ＬＥＤライト１１及びパイロットランプ６が点灯する。
利用者は、例えば外出前に、液晶ディスプレイ１０の点検項目表示部３にそれぞれ記載された点検確認事項について点検を行う。例えば、「戸締り」の場合、点検箇所表示部４に表示された各点検箇所（風呂場、勝手、窓）について順次防犯上の（鍵がかかっているかどうか）点検する。
【００１６】
そして、点検を終えたならば、各箇所に対応した操作部を操作して確認表示部５に確認済みのチェック表示がされるようにする。ここでは、上記操作部は、点検箇所表示部４と操作本体２の表面において一体的に配されており、上記各項目の点検箇所表示部４の文字上を押すことで、上記確認表示部５の表示状態を変化させる操作部の役割を果たしている。
例えば、「風呂場」の文字を一度押すと、「風呂場」の確認表示部５内にチェック表示（?）が入る。このチェック表示は点検済みであることを表す。図１に示す例では、「風呂場」が確認済みの状態を示しており、同じく、「勝手」「窓」が未確認の状態を示している。次に「勝手」の文字を押すと、「勝手」の確認表示部５にチェック表示が入る。また「窓」の文字を押すと、「窓」の確認表示部５にチェック表示が入り、以上により項目表示の「戸締り」についての点検は終了とする。
【００１７】
同様にして、「鍵」「火の元」「携行品」「携帯電話」についても点検を行い、各確認表示部５内に順次、チェック表示を入れていく。このように、順次、各確認事項及び各確認箇所について点検し、それぞれ確認済のチェックを入れておけば点検もれのおそれがない。また、この点検確認装置１は携帯可能であるので、点検をする際に一緒に持ち運び、点検を終えたその場で点検確認の操作を行うことができる。
なお、解除ボタン９を長押しすると、各確認表示部５に入れたチェック表示がすべて消えるので、点検をやり直すことができる。
【００１８】
そして、全項目の点検確認が終了したら、完了ボタン８を押すと、点検確認済みが記憶される。この点検確認済みの記憶は、解除ボタン９を長押しするまでは消えない。これにより、確認済の確証を得ることができ、安心して外出することができる。また、外出先で確認することができる。
本考案は、上述のとおり構成されているので、日常生活の行動について、点検結果が確認済であるか否かを表示して確認もれを防ぐと共に、外出時に携帯して、後で確認したかどうか不安になった場合でも家に戻る必要がなく、表示によって容易かつ確実に確認できる。
【００１９】
さらに、本考案の点検確認装置１は、図２に示すように、上記装置本体２とは別体をなし、電波を発信する発信部２０と、上記装置本体２に内蔵された、距離認識センサを有する受信部２１及び警告部２２と、を備える。
そして、上記発信部２０は、携帯電話端末３０等の携行物に取り付けられるとともに、上記距離認識センサは、上記発信部２０との距離を認識し、上記距離認識センサ（受信部２１）と上記発信部２０とが所定距離以上離れた場合に、上記警告部２２は利用者に対して警告を行う。これにより外出先での携行物の置き忘れや紛失を未然に防止できる。
【００２０】
発信部２０は、上記装置本体２とは別体をなし、所定携行物に取り付けられる。携行物としては、ここでは一例として携帯電話端末３０を挙げておく。
発信部２０には、例えば位置情報を発信するためのＩＣとアンテナとが組込まれている。発信部２０はパッシブ型発信であり、その電波到遠距離は例えば約１ｍであり、電波周波数は例えば１３．５６Ｍｈｚである。
【００２１】
発信部２０の形状としては、特に限定されるものではないが、例えば吊下式タッグ型、剥離式タッグ型等のものが挙げられる。これにより、発信部２０を携帯電話に簡単に取り付けることができる。
例えば、吊下式タッグ型の場合、塩化ビニル等の樹脂からなり、その形状、寸法、重さは、特に限定されるものではないが、例えば幅：１５ｍｍ×高さ：５０ｍｍ×厚みｌ．５ｍｍ程度であり、また、その重さは例えば５ｇ程度である。一方、剥離式タッグ型の場合、その形状、寸法や重さは特に限定されるものではないが、発信部２０を携帯電話端末３０に取り付けたとしても、邪魔にならない程度とする。
【００２２】
受信部２１は、発信部２０との距離を認識する距離認識センサを備え、上記装置本体２内に内蔵されている。
受信部２１は、アクティブ型受信であり、スリーブ状態で受信し、監視距離が約１ｍ開くと作動する電池消耗セーブ回路を採用している。
【００２３】
そして、この点検確認装置１では、電源が「ＯＮ」の間、携帯電話端末３０に取り付けた発信部２０が発信する位置情報電波を受信し、距離認識センサは、受信部２１との距離を常時監視する。
そして、携帯電話端末３０を落としたり、あるいは置き忘れたりすることなどにより、点検確認装置１と携帯電話端末３０に取り付けた発信部２０とが所定距離以上（例えば、約１ｍ以上）開くと、距離認識ができないとして、警告部は利用者に対して警告を行うことにより、携帯電話端末３０が手元から離れたことを知らせる。これにより携帯電話端末３０の紛失を未然に防止することができる。
【００２４】
警告部は、例えば警告音（電子音とバイブ）を鳴らすことにより、利用者に対して警告を行う。これにより、利用者に対して確実に警告を行うことができる。すなわち、携帯電話端末３０の紛失をより確実に防止することができる。また、利用者は、電源ボタン７（ＯＮ／ＯＦＦ）を押すことにより、警告音を止めることができる。
警告音を鳴らす場合、その音量は特に限定されるものではないが、例えば７０ｄＢ程度であることが好ましい。音量が小さすぎると、警告音を鳴らしても、周囲の騒音等により利用者が警告に気づかないおそれがある。また、音量が大きすぎると、利用者が警告音に驚いたり、周囲への迷惑となる可能性もある。警告音を７０ｄＢ程度とすることで、カードを衣類のポケット内など身近に携帯しておくことで充分に聴き取ることができる。
また、警告音の音量を調節できる音量調節機構を有していてもよい。
【００２５】
なお、警告は、警告音を鳴らすものに限定されず、例えば装置本体２にバイブを内蔵しておき、このバイブを振動させることにより警告してもよい。これにより、利用者に聴覚障害のある場合や、静かな環境が要求される場所においても周囲に迷惑をかけることなく、利用者に対して警告することができる。
また、警告を、警告音による場合と、バイブの振動による場合とを、状況に応じて切り替えることのできる切り替えスイッチを有していてもよい。また、両方を併用してもよい。
【００２６】
なお、上述した説明では、発信部２０が取り付けられる携行物として、携帯電話端末を例に挙げて説明したが、本考案はこれに限定されるものではなく、発信部２０を、鍵、眼鏡、財布、バッグ等各種携行物に取り付けることができる。
これにより、置き忘れ、ポケット等からの抜け落ち、盗難などで、上記携行物が利用者から所定距離以上離れたことを警告により知ることができる。その結果、携行物の紛失を未然に防止することができる。
以上、本考案の携帯型点検確認装置について説明してきたが、本考案はこれに限定されるものではなく、考案の趣旨を逸脱しない範囲で、適宜変更が可能である。
【産業上の利用可能性】
【００２７】
本考案は、外出時や就寝前等において、電気、ガス、水道、戸締り等の安全点検内容を確認するとともに、携帯電話端末等の紛失を防止する携帯型点検確認装置に適用可能である。
【図面の簡単な説明】
【００２８】
【図１】本考案の点検確認装置の一例を示す図である。
【図２】本考案の点検確認装置の一例を示す図である。
【符号の説明】
【００２９】
１…点検確認装置、２…装置本体、３…点検項目表示部、４…点検箇所表示部、５…確認表示部、６…パイロットランプ、７…電源ボタン、８…完了ボタン、８ａ…完了ランプ、９…解除ボタン、１０…液晶ディスプレイ、１１…ＬＥＤライト  ２０…発信部、２１…受信部、２２…警告部  
【図１】
0003147595.tif 000003
【図２】
0003147595.tif 000004